(57)【要約】【課題】表示パネルユニットが取り付けられた誘導灯において、光源モジュール、バッテリの交換作業を行う場合、表示パネルユニットを取り外すことなく交換作業ができる誘導灯を提供する。【解決手段】光源モジュール１３０の場合は、第１の側面開口１１６−１から基板１３１を筐体１１０の内部空間に挿入し（Ｘ２方向）、第１の閉塞部１３４が第１の側面開口１１６−１を閉塞した状態で筐体１１０に取り付ける。また、取付時と逆の操作（Ｘ１方向）で光源モジュール１３０を筐体１１０から取り外せる。バッテリ付きバッテリケース１４０の場合は、バッテリ取付部分１４３を第２の側面開口１１６−２から筐体１１０の内部空間に挿入し（Ｙ２方向）、第２の閉塞部１４２が第２の側面開口１１６−２を閉塞した状態で筐体１１０に取り付ける。この逆の操作（Ｙ１方向）で筐体１１０からバッテリ付きバッテリケース１４０を取り外すことができる。【選択図】図４
2013145667.tif 000002
【特許請求の範囲】
【請求項１】
上蓋のない箱形状であって前記箱形状の側面をなす４つの側面部と、前記４つの側面部に対する底面になる一つの底面部とからなり、前記４つの側面部の前記底面部と反対側のそれぞれの端部によって前記底面部に対向する開口である底面対向開口が形成され、前記４つの側面部のうちの一つの特定の側面部の他の前記側面部との間で角をなす端部に、開口である第１の側面開口が形成された箱形状の筐体と、
板形状の導光体であって前記板形状の厚みとして現れる端面が光の入射面となる導光体と、前記導光体によって導かれた光を透過させる表示パネルとを備えた組立部であって、前記筐体の前記上蓋に相当する四角形状をなし、前記筐体に取り付けられて前記底面対向開口を塞ぐことにより前記筐体に内部空間を形成すると共に、前記筐体に取り付けられると、前記内部空間において前記導光体の前記入射面が、前記他の側面部と隙間を隔てて対向して位置する組立部である表示パネルユニットと、
発光面から光を発する発光素子が実装された基板と、前記基板の端部に取り付けられ、前記第１の側面開口に対応する形状を有する第１の閉塞部とを備えた光源モジュールであって、前記第１の側面開口から前記基板が前記内部空間に挿入されて前記閉塞部が前記第１の側面開口を閉塞した状態で前記筐体に取り付けられ、前記筐体に取り付けられると、前記基板が前記他の側面部と前記導光体の前記入射面との間の前記隙間に位置し、かつ、前記発光素子の前記発光面が前記導光体の前記入射面に対向する光源モジュールと
を備えたことを特徴とする照明装置。
【請求項２】
前記光源モジュールは、
前記第１の閉塞部が前記第１の側面開口を閉塞した状態を解除して前記基板を前記内部空間から前記第１の側面開口を介して引き出すことにより、前記筐体から取り外し可能であることを特徴とする請求項１記載の照明装置。
【請求項３】
前記筐体は、
４つの前記側面部のうちの前記他の側面部以外のいずれかの前記側面部に開口である第２の側面開口が形成され、
前記照明装置は、
バッテリが取り付けられたバッテリ取付部であって前記第２の側面開口を閉塞する第２の閉塞部を備えたバッテリ取付部の前記バッテリが取り付けられた部分が、前記第２の側面開口から前記内部空間に挿入されて前記第２の閉塞部が前記第２の側面開口を閉塞した状態で前記筐体に取り付けられることを特徴とする請求項１または２のいずれかに記載の照明装置。
【請求項４】
前記バッテリが取り付けられた前記バッテリ取付部は、
前記第２の閉塞部が前記第２の側面開口を閉塞した状態を解除して前記バッテリが取り付けられた部分を前記内部空間から前記第２の側面開口を介して引き出すことにより、前記筐体から取り外し可能であることを特徴とする請求項３記載の照明装置。
【請求項５】
前記筐体は、
前記第２の側面開口が、前記特定の側面部に対向する前記側面部に形成されたことを特徴とする請求項３または４のいずれかに記載の照明装置。
【請求項６】
上蓋のない箱形状であって前記箱形状の側面をなす４つの側面部と、前記４つの側面部に対する底面を一つの底面部とからなり、前記４つの側面部の前記底面部と反対側のそれぞれの端部によって前記底面部に対向する開口である底面対向開口が形成され、前記４つの側面部のうちのいずれか一つの側面部に、開口である側面開口が形成された箱形状の筐体と、
板形状の導光体であって前記板形状の厚みとして現れる端面が光の入射面となる導光体と、前記導光体によって導かれた光を透過させる表示パネルとを備えた組立部であって、前記筐体の前記上蓋に相当する四角形状をなし、前記筐体に取り付けられて前記底面対向開口を塞ぐことにより前記筐体に内部空間を形成する組立部である表示パネルユニットと、
バッテリが取り付けられたバッテリ取付部であって前記側面開口を閉塞する閉塞部を備えたバッテリ取付部の前記バッテリが取り付けられた部分が、前記第２の側面開口から前記内部空間に挿入されて前記閉塞部が前記第２の側面開口を閉塞した状態で前記筐体に取り付けられるバッテリ取付部と
を備えたことを特徴とする照明装置。
【請求項７】
前記バッテリが取り付けられた前記バッテリ取付部は、
前記閉塞部が前記側面開口を閉塞した状態を解除して前記バッテリが取り付けられた部分を前記内部空間から前記側面開口を介して引き出すことにより、前記筐体から取り外し可能であることを特徴とする請求項６記載の照明装置。
【発明の詳細な説明】
【技術分野】
【０００１】
この発明は、表示パネルユニット、表示パネルユニットが取り付けられる筐体及び筐体に収納される光源モジュールを備えた照明装置に関する。
【背景技術】
【０００２】
従来、誘導灯などの照明装置としては、例えば特許文献１、特許文献２に記載されるような、表面表示手段の上辺側の一辺に光源が設けられ、表面表示手段によって器具本体の四角形状の開口部を閉塞する構成が知られている。
【先行技術文献】
【特許文献】
【０００３】
【特許文献１】特開２０００−１４９６２６号公報
【特許文献２】特開２００６−７３５４０号公報
【発明の概要】
【発明が解決しようとする課題】
【０００４】
しかしながら、特許文献１、特許文献２の場合は、「光源と表面表示手段」とによって開口を閉塞している構成なので、光源若しくはバッテリの交換作業を行う場合、必ず前記２部品（光源と表面表示手段）を取り外さないと交換作業が実施できないという課題があった。
【０００５】
この発明は、表示パネルユニット、表示パネルユニットが取り付けられる筐体及び筐体に収納される光源モジュールを備えた照明装置（例えば誘導灯）において、光源若しくはバッテリの交換作業を行う場合に、表示パネルユニットを取り外すことなく、取り付け及び取り外しのできる照明装置の提供を目的とする。
【課題を解決するための手段】
【０００６】
この発明の照明装置は、
上蓋のない箱形状であって前記箱形状の側面をなす４つの側面部と、前記４つの側面部に対する底面になる一つの底面部とからなり、前記４つの側面部の前記底面部と反対側のそれぞれの端部によって前記底面部に対向する開口である底面対向開口が形成され、前記４つの側面部のうちの一つの特定の側面部の他の前記側面部との間で角をなす端部に、開口である第１の側面開口が形成された箱形状の筐体と、
板形状の導光体であって前記板形状の厚みとして現れる端面が光の入射面となる導光体と、前記導光体によって導かれた光を透過させる表示パネルとを備えた組立部であって、前記筐体の前記上蓋に相当する四角形状をなし、前記筐体に取り付けられて前記底面対向開口を塞ぐことにより前記筐体に内部空間を形成すると共に、前記筐体に取り付けられると、前記内部空間において前記導光体の前記入射面が、前記他の側面部と隙間を隔てて対向して位置する組立部である表示パネルユニットと、
発光面から光を発する発光素子が実装された基板と、前記基板の端部に取り付けられ、前記第１の側面開口に対応する形状を有する第１の閉塞部とを備えた光源モジュールであって、前記第１の側面開口から前記基板が前記内部空間に挿入されて前記閉塞部が前記第１の側面開口を閉塞した状態で前記筐体に取り付けられ、前記筐体に取り付けられると、前記基板が前記他の側面部と前記導光体の前記入射面との間の前記隙間に位置し、かつ、前記発光素子の前記発光面が前記導光体の前記入射面に対向する光源モジュールと
を備えたことを特徴とする。
【発明の効果】
【０００７】
この発明は、四角形状の筐体前面の開口を導光体を備えた表示パネルユニットのみで閉塞し、四角形状の筐体の側面部から光源モジュールを交換可能な構造とするので、部品交換の工程を簡素化できる。
【図面の簡単な説明】
【０００８】
【図１】実施の形態１の照明装置１００の斜視図。
【図２】実施の形態１の照明装置１００の分解斜視図。
【図３】実施の形態１の光源モジュール１３０の取付部の拡大斜視図。
【図４】実施の形態１の光源モジュール１３０、バッテリ１４１の交換時を示す斜視図。
【図５】図１のＡ−Ａ断面図。
【図６】実施の形態１の光源モジュール１３０と導光板１２１との配置関係を模式的に示す図。
【図７】実施の形態１の表示パネルユニット１２０の構成例を示す図。
【発明を実施するための形態】
【０００９】
実施の形態１．
図１〜図７を参照して実施の形態１の照明装置１００を説明する。図１は、本実施の形態１の照明装置１００の斜視図である。図２は、照明装置１００の分解斜視図である。図３は、光源モジュール１３０を取り付ける第１の側面開口１１６−１を拡大して示す斜視図である。図４は、照明装置１００の部品交換時（光源モジュール１３０、バッテリ１４１）を示す図である。図５は、図１の照明装置１００のＡ−Ａ断面図である。図６は、光源モジュール１３０と導光板１２１との配置関係を模式的に示す図である。図７は、表示パネルユニット１２０の構成例を示す図である。
【００１０】
（照明装置１００の構成）
図１に示す照明装置１００は、誘導灯の実施形態である。図２に示すように照明装置１００は、
（１）箱形状の筐体１１０、
（２）箱形状の筐体１１０の上蓋に相当する表示パネルユニット１２０、
（３）表示パネルユニット１２０によって筐体１１０が蓋をされてできる筐体１１０の内部空間１１７に収納される光源モジュール１３０、
（４）内部空間１１７に収納されるバッテリが取り付けられたバッテリ付きバッテリケース１４０（バッテリ取付部）等を備えている。
【００１１】
筐体１１０は、箱の開口に相当する開口であって表示パネルユニット１２０によって閉塞される四角形状の開口である底面対向開口１１４（四隅のＡ〜Ｄを結んでできる四角形の開口）を持つ。また、筐体１１０は、側面部１１１−１の端部に光源モジュール１３０によって閉塞される第１の側面開口１１６−１をもつ。また筐体１１０は、側面部１１１−３に第１の側面開口１１６−１を持つ。筐体１１０は、側面部１１３−２に点検スイッチ１７０によって閉塞される開口（図２には示していない）を有する。筐体１１０は樹脂製である。樹脂製の筐体１１０の側面部１１１−１、底面部１１２（背面）には被取付部、電源線挿通孔として用いられる各種の取付用孔２０１、２０２がノックアウト構造で形成されている。
【００１２】
照明装置１００は、また、図２に示すように、電気部品ケース１５０、電源端子台１６０、点検スイッチ１７０、電線１８０、取付金具１９０等を備えている。電線１８０は電気部品同士を接続する。電気部品ケース１５０は、光源モジュール１３０の光源を点灯する光源点灯装置を構成する電気部品を収納する。
【００１３】
照明装置１００（誘導灯と言う場合もある）の特徴は、図４に示すように、誘導灯として完成している状態において、光源モジュール１３０、バッテリ付きバッテリケース１４０が、表示パネルユニット１２０を取り外すことなく、それぞれ単独で、取り外し及び取り付けが可能な点である。つまり完成状態の誘導灯において、光源モジュール１３０をＸ１方向（図４）に引き出すことで、筐体１１０から単独で取り外すことができる。また、Ｘ２方向に差し込むことで、筐体１１０に光源モジュール１３０を単独で取り付けることができる。また完成状態の誘導灯において、バッテリ付きバッテリケース１４０をＹ１方向に引き出すことで、筐体１１０から単独で取り外すことができる。また、Ｙ２方向に差し込むことで、バッテリ付きバッテリケース１４０を筐体１１０に単独で取り付けることができる。
【００１４】
（光源モジュール１３０）
光源モジュール１３０と樹脂製の筐体１１０とは、樹脂製の光源側弾性係止部１３５（例えばツメ）が、筐体１１０側（あるいは表示パネルユニット１２０側）と係止することで筐体１１０に固定されている。光源側弾性係止部１３５の係止を解除し、光源モジュール１３０を筐体１１０の内部から引き出し、光源モジュール接続コネクタ１３６ａ，１３６ｂを外し、光源モジュール１３０を筐体１１０の第１の側面開口１１６−１から引き抜き、光源モジュール１３０の交換作業を実施することができる。
【００１５】
（フック２１０）
図３（ｂ）に示すように、光源モジュール１３０を第１の側面開口１１６−１を介して筐体１１０から取り外す際、光源モジュール１３０に電力を供給する電線及び光源モジュール接続コネクタ１３６ｂが筐体１１０内部に入り込んでしまうことを防止するために、筐体１１０は内部空間１１７の各部に、電線を固定するためのフック２１０を有している。
【００１６】
（バッテリ１４１）
バッテリ付きバッテリケース１４０と樹脂製の筐体１１０とは、樹脂製のバッテリ側弾性係止部１４４（例えばツメ）が、筐体１１０側（あるいは表示パネルユニット１２０側）と係止することで筐体１１０に固定されている。バッテリ側弾性係止部１４４の係止を解除し、バッテリ付きバッテリケース１４０を筐体１１０の第２の側面開口１１６−２から引き出し、バッテリ１４１と電気部品を収納する電気部品ケース１５０とを結ぶバッテリ接続コネクタ１４５ａ、１４５ｂを外し、バッテリ付きバッテリケース１４０を筐体１１０の第２の側面開口１１６−２から引き抜き、バッテリ１４１の交換作業を実施することが出来る。
【００１７】
（突起部２２１，２２２）
図５（ｂ）に示すように、ＬＥＤ光源モジュール１３０の基板１３１に対して垂直に設けられて反射板の役割をする樹脂製の突起部２２１と、筐体１１０の第１の側面開口１１６−１の上部に設けられて反射板の役割をする樹脂製の突起部２２２とで、基板１３１を挟み込む構造をとる。図５（ｂ）において断面がＬ字にみえる突起部２２１、突起部２２２は、基板１３１に対して図６の寸法Ｌ１にわたって形成される。この構造により、筐体１１０の内部へ発光素子１３２の光が漏出することを防止して、表示パネルユニット１２０への光の入射率を高めることができる。
【００１８】
以下に照明装置１００の構造をさらに、説明する。
【００１９】
（筐体１１０）
筐体１１０は図２に示すように、上蓋のない箱形状であって４つの側面部である側面部１１１−１〜１１１−４と、一つの底面部１１２とからなる。筐体１１０は、側面部１１１−１〜１１１−４の底面部１１２と反対側の端部１１３−１〜１１３−４によって、底面部１１２に対向する開口である底面対向開口１１４（Ａ〜Ｄでできる四角形の開口）が形成されている。また、筐体１１０では、側面部１１１−１〜１１１−４のうち、側面部１１１−１（特定の側面部）は、側面部１１１−４との間で角１１９（図１に示した）をなす端部１１５に、開口である第１の側面開口１１６−１が形成されている。
【００２０】
（表示パネルユニット１２０）
図７は、表示パネルユニット１２０の構成例を示す図である。表示パネルユニット１２０は、板形状の導光板１２１であって板形状の厚みとして現れる端面が光の入射面１２１−１となる導光板１２１と、導光板１２１によって導かれた光を透過させる表示パネル１２２とを備えた組立部（ユニット）である。導光板１２１、表示パネル１２２は、パネル枠１２３に取り付けられる。また、図７に示すように、表示パネル１２２と導光板１２１との間、及び導光板１２１とパネル枠１２３との間には、それぞれ光学シート１２４、反射シート１２５が取り付けられる。表示パネルユニット１２０は、図２に示すように、底面対向開口１１４を塞ぐ筐体１１０の上蓋に相当する四角形状をなし、図１、図３等のように筐体１１０に取り付けられて底面対向開口１１４を塞ぐことにより、筐体１１０との間で内部空間１１７を形成する。そして表示パネルユニット１２０は、筐体１１０に取り付けられると、図６のように、内部空間１１７において導光板１２１の入射面１２１−１が、側面部１１１−４と隙間１１８を隔てて対向して位置する。
【００２１】
（光源モジュール１３０）
光源モジュール１３０は、図６のように、発光面１３３（図５に示した）から光を発する発光素子１３２が実装された基板１３１を有する。発光素子１３２にはＬＥＤを用いる。基板１３１の端部には、第１の側面開口１１６−１に対応する形状を有する第１の閉塞部１３４が取り付けられている。光源モジュール１３０は、第１の側面開口１１６−１から基板１３１が内部空間１１７に挿入されて取り付けられる（図４のＸ２方向）。この際、図１のように、第１の閉塞部１３４が第１の側面開口１１６−１を閉塞した状態で筐体１１０に取り付けられる（光源側弾性係止部１３５により係止）。光源モジュール１３０は筐体１１０に取り付けられると、図６のように、基板１３１が、側面部１１４−４と導光板１２１の入射面１２１−１との間の隙間１１８に位置し、かつ、発光素子１３２の発光面１３３が導光板１２１の入射面１２１−１に対向するように位置する。このように、照明装置１００では、表示パネルユニット１２０を取り外すことなく、光源モジュール１３０を単独で取り付け可能である。
【００２２】
光源モジュール１３０は、第１の閉塞部１３４が第１の側面開口１１６−１を閉塞した状態を解除（光源側弾性係止部１３５の係止解除）して基板１３１を内部空間１１７から第１の側面開口１１６−１を介して引き出すことにより、筐体１１０から取り外し可能である。このように、照明装置１００では、表示パネルユニット１２０を取り外すことなく、光源モジュール１３０を単独で、取り付け及び取り外しが可能である。
【００２３】
前記筐体１１０は、側面部１１１−１〜１１１−４のうちの側面部１１１−４以外のいずれかの側面部に開口である第２の側面開口１１６−２が形成される。この実施の形態１では図２のように、筐体１１０は、第２の側面開口１１６−２が、側面部１１１−１（特定の側面部）に対向する側面部１１１−３に形成されている場合を一例で示した。しかし、第２の側面開口１１６−２は、表示パネルユニット１２０を取り外すことなく、バッテリ１４１を内部空間１１７に単独で収納できるのであれば（及び単独で取り外しできるのであれば）、側面部１１１−１〜１１１−３のどの側面部に設けても構わない。側面部１１１−４を除くのは、この近傍には光源モジュール１３０の基板１３１が配置されるので、バッテリ１４１と光源モジュール１３０とが干渉するため、干渉防止からである。
【００２４】
照明装置１００には、バッテリ付きバッテリケース１４０を第２の側面開口１１６−２へ挿入することで、バッテリ付きバッテリケース１４０が取り付けられる。図２のように、バッテリ付きバッテリケース１４０は、第２の側面開口１１６−２を閉塞する第２の閉塞部１４２を備えている。バッテリ１４１が取り付けられたバッテリ取付部分１４３（図４に示した）が第２の側面開口１１６−２から内部空間１１７に挿入され、バッテリ付きバッテリケース１４０は第２の閉塞部１４２が第２の側面開口１１６−２を閉塞した状態でバッテリ１４１と共に筐体１１０に取り付けられる（バッテリ側弾性係止部１４４により係止）。このように、照明装置１００では、表示パネルユニット１２０を取り外すことなく、バッテリ付きバッテリケース１４０を単独で、取り付け可能である。
【００２５】
バッテリ付きバッテリケース１４０は、第２の閉塞部１４２が第２の側面開口１１６−２を閉塞した状態を解除（バッテリ側弾性係止部１４４の係止解除）してバッテリ取付部分１４３を内部空間１１７から第２の側面開口１１６−２を介して引き出すことにより、筐体１１０から取り外し可能である。このように、照明装置１００では、表示パネルユニット１２０を取り外すことなく、バッテリ付きバッテリケース１４０を単独で、取り付け及び取り外しが可能である。
【００２６】
以上のように実施の形態１の照明装置１００によれば、四角形状の筐体１１０の底面対向開口１１４を表示パネルユニット１２０のみで閉塞し、筐体１１０に形成した第１の側面開口１１６−１、第２の側面開口１１６−２を介して、それぞれ光源モジュール１３０、バッテリ１４１を交換可能な構造とすることで、光源モジュール１３０、バッテリ１４１の交換工程を簡素化できる。
【符号の説明】
【００２７】
１００  照明装置、１１０  筐体、１１１−１，１１１−２，１１１−３，１１１−４  側面部、１１２  底面部、１１３  端部、１１４  底面対向開口、１１５  側面部の端部、１１６−１  第１の側面開口、１１６−２  第２の側面開口、１１７  内部空間、１１８  隙間、１１９  角、１２０  表示パネルユニット、１２１  導光板、１２１−１  入射面、１２２  表示パネル、１２３  パネル枠、１２４  光学シート、１２５  反射シート、１３０  光源モジュール、１３１  基板、１３１−１  基板端部、１３２  発光素子、１３３  発光面、１３４  第１の閉塞部、１３５  光源側弾性係止部、１３６ａ，１３６ｂ  光源モジュール接続コネクタ、１４０  バッテリ付きバッテリケース、１４１  バッテリ、１４２  第２の閉塞部、１４３  バッテリ取付部分、１４４  バッテリ側弾性係止部、１４５ａ，１４５ｂ  バッテリ接続コネクタ、１５０  電気部品ケース、１６０  電源端子台、１７０  点検スイッチ、１８０  電線、１９０  取付金具、２０１，２０２  取付用孔、２１０  フック、２２１，２２２  突起部。
【図１】
2013145667.tif 000003
【図２】
2013145667.tif 000004
【図３】
2013145667.tif 000005
【図４】
2013145667.tif 000006
【図５】
2013145667.tif 000007
【図６】
2013145667.tif 000008
【図７】
2013145667.tif 000009